(57)【特許請求の範囲】
【請求項１】
出力をオン／オフ操作するための操作ハンドルをオン状態或いはオフ状態でロックする回路遮断器のハンドルロック装置であって、
遮断器ケース上面に設けられた操作ハンドルの回動方向となる前後双方の面に形成した一対の嵌合凹部と、前記嵌合凹部に挿入する挿入片を備えて操作ハンドルをロック操作するロック部材とから成り、
前記一対の嵌合凹部のうち、一方の嵌合凹部は、操作ハンドルオン位置で露出し、且つ遮断器ケース上面に平行に配置されると共に、他方の嵌合凹部は、操作ハンドルオフ位置で露出し、且つ遮断器ケース上面に平行に配置されるよう形成され、オン状態及びオフ状態の双方において前記ロック部材を露出した一方の前記嵌合凹部に挿入することで操作ハンドルはロックされることを特徴とする回路遮断器のハンドルロック装置。
【請求項２】
嵌合凹部内に、挿入された挿入片を係止する係止手段を備えた請求項１記載の回路遮断器のハンドルロック装置。
【請求項３】
一対の嵌合凹部は、双方とも操作ハンドル側面に形成した溝であると共に、遮断器ケース上面の操作ハンドルに隣接する左右にはロック部材の挿入を案内する案内壁を備えて成る請求項１又は２記載の回路遮断器のハンドルロック装置。
【発明の詳細な説明】
【技術分野】
【０００１】
本発明は、回路遮断器に関し、特に遮断器出力をオン／オフ操作する操作ハンドルをロックする回路遮断器のハンドルロック装置に関する。
【背景技術】
【０００２】
回路遮断器は出力をオン／オフ操作する操作ハンドルを備えている。この操作ハンドルは、非常灯等の常時オン状態を保つ必要がある負荷が接続されている場合や、特定の条件の下でしかオン操作できない負荷が接続されている場合は、間違ってオフ操作或いはオン操作される事がないように、ロック装置によりオン状態或いはオフ状態でロックできるよう構成されたものがある。例えば、特許文献１では、操作ハンドルを覆うキャップを装着してロックする構造となっている。
一方、回路遮断器は小型化される傾向にあり、操作ハンドルに関しても、回動操作して出力オンの状態にした際に、遮断器ケース上面に操作ハンドルが平行になるよう傾倒され、遮断器ケース上面から突出する部位がなくなるフラットタイプの操作ハンドルを設けたものがある。このようなフラットタイプの操作ハンドルをロックするロック装置としては、特許文献２に記載された構造のものがある。これは、遮断器ケース上面の操作ハンドルの回動方向となる部位に嵌合溝を設け、その溝にロック部材を嵌合させて操作ハンドルをロックさせている。
【０００３】
【特許文献１】特開２０００−１１８４２号公報
【特許文献２】特開２００１−３０７５７７号公報
【発明の開示】
【発明が解決しようとする課題】
【０００４】
しかし、上記特許文献１の操作ハンドルを覆う構成のものは、遮断器ケースから突出している操作ハンドルを覆うので、全体の突出量が更に大きくなってしまい、回路遮断器を収容する分電盤等の内部空間を広く採らなければ成らなかった。また、キャップを固定する部材も必要なため、コスト高となっていた。
また、引用文献２の構成は、部品点数が１つであり、また板状であるため安価に構成できるが、オン状態の操作ハンドルをロックする場合、操作ハンドル上を覆う構成であるため、操作ハンドルに遮断器ケースから突出する部位が無くてもロック部材により突起部が発生してしまう。
【０００５】
そこで、本発明はこのような問題点に鑑み、装着したロック部材が操作ハンドルより突出する事がない回路遮断器のハンドルロック装置を提供することを目的とする。
【課題を解決するための手段】
【０００６】
上記課題を解決する為に、請求項１の発明は、出力をオン／オフ操作するための操作ハンドルをオン状態或いはオフ状態でロックする回路遮断器のハンドルロック装置であって、遮断器ケース上面に設けられた操作ハンドルの回動方向となる前後双方の面に形成した一対の嵌合凹部と、前記嵌合凹部に挿入する挿入片を備えて操作ハンドルをロック操作するロック部材とから成り、前記一対の嵌合凹部のうち、一方の嵌合凹部は、操作ハンドルオン位置で露出し、且つ遮断器ケース上面に平行に配置されると共に、他方の嵌合凹部は、操作ハンドルオフ位置で露出し、且つ遮断器ケース上面に平行に配置されるよう形成され、オン状態及びオフ状態の双方において前記ロック部材を露出した一方の前記嵌合凹部に挿入することで操作ハンドルはロックされることを特徴とする。
この構成により、ロック部材を操作ハンドルの嵌合凹部に挿入することでロックできる。また、ロック操作は遮断器ケース上でスライド操作してロックすることが可能であり、ロック部材はロックした状態で遮断器ケース上面に平行に配置できる。従って、オン状態及びオフ状態の双方においてケース上での突出量を最小に抑えることができ、操作ハンドルより上方に突出することがない。
【０００７】
請求項２の発明は、請求項１に記載の発明に於いて、嵌合凹部内に、挿入された挿入片を係止する係止手段を備えたことを特徴とする。
この構成により、嵌合凹部に挿入したロック部材は係止されるので、別途抜け止め手段を設ける必要がない。
【０００８】
請求項３の発明は、請求項１又は２記載の発明において、一対の嵌合凹部は、双方とも操作ハンドル側面に形成した溝であると共に、遮断器ケース上面の操作ハンドルに隣接する左右にはロック部材の挿入を案内する案内壁を備えて成ることを特徴とする。
この構成により、側面を切り欠くだけなので嵌合凹部、係止手段を容易に作製できるし、ロック部材の挿入は案内されるのでロック操作が容易である。
【発明の効果】
【０００９】
本発明によれば、ロック操作は遮断器ケース上でスライド操作してロックすることが可能であり、ロック部材はロックした状態で遮断器ケース上面に平行に配置できる。従って、オン状態及びオフ状態の双方においてケース上での突出量を最小に抑えることができ、操作ハンドルより上方に突出することがない。
【発明を実施するための最良の形態】
【００１０】
以下、本発明を具体化した実施の形態を、図面に基づいて詳細に説明する。図１〜図４は本発明に係る回路遮断器のハンドルロック装置の一例を示し、回路遮断器の斜視図を示している。図１は出力オフ状態でロック部材挿入前の状態、図２は出力オフ状態でロックした状態、図３は出力オン状態でロック部材挿入前の状態、図４はオン状態でロックした状態を示している。尚、図１のみ背面方向から見た回路遮断器を示している。
各図において、１は回路遮断器の遮断機構が組み込まれている遮断器ケース、２は遮断器ケース背面に設けた電源側端子、３はケース前面に設けた負荷側端子、４は遮断器出力をオン／オフ操作する操作ハンドル、５は操作ハンドル４をロックして操作不可とするロック部材である。
【００１１】
この回路遮断器は、単相３線式電路に対応するよう形成され、電源側端子２、負荷側端子３の双方は縦に３端子を配置して構成されている。電源側端子２はプラグイン式で形成され、負荷側端子３は速結端子で形成されており、何れも挿入するだけで連結されるよう構成されている。そして、双方とも中央を中性端子、上下の端子を電圧端子として配置され、負荷側端子３の中央の端子口３ｂと、上側端子口３ａ或いは下側端子口３ｃの一方に電線を接続することで１００Ｖ電圧の出力を得ることができ、上下両端の端子口３ａ，３ｃに電線を接続することで２００Ｖ電圧の出力を得ることができるようになっている。
また、操作ハンドル４は、オフ操作状態では遮断器ケース１から上方に突出した状態にあり、オン操作状態では遮断器ケース１上面に略平行に成る角度まで傾倒される構成となっている。
【００１２】
一方、操作ハンドル４を設けた遮断器ケース１上面には、操作ハンドル４の左右に隣接して操作ハンドル４の操作方向に平行に配置された保護壁７が設けられている。この保護壁７は、オン操作した操作ハンドル４を収容して保護するよう形成され、オン状態の操作ハンドル４と略同一の高さで形成されている。また、この保護壁７は、ロック部材５のスライド操作を案内する案内壁としても使用される。
【００１３】
上記構成の回路遮断器において、ハンドルロック装置は次のように構成されている。操作ハンドル４の背面には、オフ状態をロックするための第１の嵌合凹部９ａが凹設されている。この第１の嵌合凹部９ａは、オフ状態で遮断器ケース１上面に露出し、且つ露出した状態で遮断器ケース１上面に平行になるよう形成されている。
図５（ａ）は、図２のロック状態の操作ハンドル４近傍を拡大した回路遮断器の縦断面図を示し、第１の嵌合凹部９ａは、操作ハンドル４の側面を切り欠いて溝状に形成され、内部下面にはロック部材５を係止するための係止凹部（係止手段）１０が設けられている。
【００１４】
また、操作ハンドル４の前面には、オン状態をロックするための第２の嵌合凹部９ｂが凹設されている。この第２の嵌合凹部９ｂは、オン状態で遮断器ケース１上面に露出し、且つ露出した状態で遮断器ケース１上面に平行になるよう形成されている。
図５（ｂ）は、図４のロック状態の操作ハンドル４近傍を拡大した回路遮断器の縦断面図を示し、第２の嵌合凹部９ｂは、操作ハンドル４の側面を切り欠いて溝状に形成され、内部上面にはロック部材５を係止するための係止凹部１０が設けられている。尚、第１の嵌合凹部９ａ、第２の嵌合凹部９ｂ共に、操作ハンドル４の同一側面に形成されている。
【００１５】
一方、ロック部材５は、四角形板状の摘み部１２と、その端部に突設した嵌合凹部９ａ，９ｂに挿入する挿入片１３とで形成されている。摘み部１２は、左右に形成されている保護壁７の間隔に合わせて形成され、挿入片１３は、嵌合凹部９ａ，９ｂと略同一形状で形成され、係止凹部１０に係止する係止突起５ａが設けられている。
【００１６】
このようにハンドルロック装置を形成することで、出力オフ時のロック操作は、図１に示すように、後方から操作ハンドル４の背面に露出した第１嵌合凹部９ａにロック部材５を挿入操作して実施される。この操作は、保護壁７，７で囲まれた空間にロック部材５を配置した後、スライド操作して挿入片１３を第１嵌合凹部９ａに挿入して嵌合させる。この嵌合操作で係止凹部１０に係止突起５ａが係止される。
また、出力オン時のロック操作は、図３に示すように、前方から操作ハンドル４の前面に露出した第２嵌合凹部９ｂに、ロック部材５を挿入操作して実施される。この操作は、保護壁７，７で囲まれた空間の前方にロック部材５を配置した後、スライド操作して挿入片１３を第２嵌合凹部９ｂに挿入して嵌合させる。この嵌合操作で係止凹部１０に係止突起５ａが係止される。
【００１７】
このように、ロック部材を操作ハンドルの嵌合凹部に挿入することでロックできる。そして、ロック操作は遮断器ケース上でスライド操作してロックするので、ロック部材はロックした状態で遮断器ケース上面に平行に配置できる。従って、オン状態及びオフ状態の双方においてケース上での突出量を最小に抑えることができ、操作ハンドルより上方に突出することがない。
また、嵌合凹部に挿入するだけで係止されるので、別途抜け止め手段を設ける必要がないし、嵌合凹部は操作ハンドルの左右を切り欠いて形成されるので、嵌合凹部及び係止手段を容易に作製できる。
更に、ロック部材は保護壁に案内されるので挿入操作が容易であるし、嵌合凹部が溝状に形成されても、保護壁によりロック部材は支持されるので外れる事がない。
【００１８】
尚、上記実施形態では、嵌合凹部９ａ，９ｂを操作ハンドル４に一対設けているが、操作ハンドル４の左右側面に溝を設けて、操作ハンドル４を挟持するようにロック部材５の挿入片１３を構成しても良い。
【００１９】
図６は、ハンドルロック装置の他の形態を示している。１６は遮断器ケース、１７は操作ハンドル、１８はロック部材であり、オン位置、オフ位置の双方において操作ハンドル１７は遮断器ケース１６から突出した状態にある。
そして、操作ハンドル１７基部の前面及び背面には、オン位置或いはオフ位置において露出する嵌合凹部としての孔１９が一対穿設されている。この孔１９は、双方とも操作ハンドル１７の中央に形成され、露出した状態では遮断器ケース１６上面に連続して平行に配置されるよう形成されている。
【００２０】
一方、ロック部材１８は、四角形板状の摘み部２１の一端に孔１９に挿入する挿入片２２が突設され、摘み部２１の左右側部には、挿入した状態で遮断器ケースに係止する突起２３が設けられている。そして、遮断器ケース１６には操作ハンドル１７の左右に隣接して、ロック部材１８の操作を案内する案内壁２４が設けられ、その前端及び後端には突起２３を係止する係止凹部２５が設けられている。
こうして、ロック操作する場合、前方或いは後方からロック部材１８をスライド操作することで操作ハンドル１７はロックされるし、ロック部材１７は遮断器ケース１６に係止する。
【００２１】
このように、操作ハンドルの前後面に孔を穿設してロック部材の挿入片を挿入するよう構成しても良いし、ロック部材の摘み部と遮断器ケースとの間で抜け止め構造を設けても良い。
【００２２】
尚、上記実施形態は何れも、操作ハンドル４，１７に設けた嵌合凹部に挿入片１３，２２を挿入して係止させてロックする構成であるが、操作ハンドル４，１７の前後面に溝を設けて、ロック部材５，１８にその溝に係止する突起を設けるだけでもロックは可能である。この場合はロック部材は遮断器ケースに係止させれば良い。
【図面の簡単な説明】
【００２３】
【図１】本発明に係る回路遮断器の斜視図であり、オフ操作状態で操作ハンドルロック前の状態を示している。
【図２】図１の操作ハンドルロック後の状態を示す斜視図である。
【図３】図１の回路遮断器をオン操作した状態で操作ハンドルロック前の状態を示している。
【図４】図３の操作ハンドルロック後の状態を示す斜視図である。
【図５】操作ハンドル近傍を拡大した回路遮断器の縦断面図を示し、（ａ）は図２の状態、（ｂ）は図４の状態である。
【図６】本発明に係る回路遮断器のハンドルロック装置の他の形態を示す要部斜視図である。
【符号の説明】
【００２４】
１・・遮断器ケース、４・・操作ハンドル、５・・ロック部材、７・・保護壁（案内壁）、９ａ，９ｂ・・嵌合凹部、１０・・係止凹部（係止手段）、１２・・摘み部、１３・・挿入片、１６・・遮断器ケース、１７・・操作ハンドル、１８・・ロック部材、１９・・孔（嵌合凹部）、２１・・摘み部、２２・・挿入片、２４・・案内壁、２５・・係止凹部（係止手段）。
【図１】
0004774323.tif 000002
【図２】
0004774323.tif 000003
【図３】
0004774323.tif 000004
【図４】
0004774323.tif 000005
【図５】
0004774323.tif 000006
【図６】
0004774323.tif 000007